(57)【要約】  本願の実施例は複数のＳＲＳタイプの伝送を、互換性を取りながら実現することのできる無線通信方法及び装置を提供し、該方法は、端末装置は、ネットワーク機器から送信された非周期的サウンディング基準信号（ＳＲＳ）をトリガーするためのトリガーシグナリングを受信することと、前記端末装置は、前記トリガーシグナリングに基づき、前記非周期的ＳＲＳのＳＲＳタイプを確定することと、前記端末装置は、確定されたＳＲＳタイプに基づき、前記非周期的ＳＲＳを送信するためのリソース及び／又は伝送方式を確定することと、前記端末装置は、確定されたリソース及び／又は確定された伝送方式に基づき、前記ネットワーク機器へ前記非周期的ＳＲＳを送信することと、を含む。
2020511858.tif 000002
【特許請求の範囲】
【請求項１】
無線通信方法であって、
端末装置は、ネットワーク機器から送信された非周期的サウンディング基準信号（ＳＲＳ）をトリガーするためのトリガーシグナリングを受信することと、
前記端末装置は、前記トリガーシグナリングに基づき、前記非周期的ＳＲＳのＳＲＳタイプを確定することと、
前記端末装置は、確定されたＳＲＳタイプに基づき、前記非周期的ＳＲＳを送信するためのリソース及び／又は伝送方式を確定することと、
前記端末装置は、確定されたリソース及び／又は確定された伝送方式に基づき、前記ネットワーク機器へ前記非周期的ＳＲＳを送信することと、を含むことを特徴とする、前記無線通信方法。
【請求項２】
前記確定されたＳＲＳタイプは、前記端末装置のサポートする複数のＳＲＳタイプのうちの少なくとも１つを含むことを特徴とする
請求項１に記載の方法。
【請求項３】
前記複数のＳＲＳタイプの中において、異なるＳＲＳタイプの非周期的ＳＲＳのリソース及び／又は伝送方式は異なることを特徴とする
請求項２に記載の方法。
【請求項４】
前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳは、マルチビームにより送信され、及び／又は
前記第２ＳＲＳタイプの非周期的ＳＲＳは、シングルビームにより送信されることを特徴とする
請求項３に記載の方法。
【請求項５】
前記第２ＳＲＳタイプの非周期的ＳＲＳを送信するためのシングルビームは、前記第２ＳＲＳタイプの非周期的ＳＲＳを送信する前の最後の一回目に受信したＳＲＳリソース指示情報（ＳＲＩ）に示されるＳＲＳリソースにおいて、ＳＲＳを伝送するために用いるビームであることを特徴とする
請求項４に記載の方法。
【請求項６】
前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳの１回あたりの伝送は、単一のアンテナポートを介して送信され、及び／又は、
前記第２ＳＲＳタイプの非周期的ＳＲＳの１回あたりの伝送は、複数のアンテナポートを介して送信されることを特徴とする
請求項３〜５のいずれか１項に記載の方法。
【請求項７】
前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳの伝送回数が複数回であり、及び／又は
前記第２ＳＲＳタイプの非周期的ＳＲＳの伝送回数が１回であることを特徴とする
請求項３〜６のいずれか１項に記載の方法。
【請求項８】
前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳを伝送するためのＳＲＳリソースの中の異なるアンテナポートは、異なるビームを用いてＳＲＳを伝送し、及び／又は、前記第２ＳＲＳタイプの非周期的ＳＲＳを伝送するためのＳＲＳリソースの中の異なるアンテナポートは、同じビームを用いてＳＲＳを伝送することを特徴とする
請求項２〜７のいずれか１項に記載の方法。
【請求項９】
前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳは、アップリンク信号の送信ビーム及び／又はアップリンク信号の受信ビームを確定することに用いられ、及び／又は
前記第２ＳＲＳタイプの非周期的ＳＲＳはアップリンク信号のスケジューリング情報を取得することに用いられることを特徴とする
請求項２〜８のいずれか１項に記載の方法。
【請求項１０】
前記確定された伝送方式は、
前記非周期的ＳＲＳを送信するために用いたビーム、
前記非周期的ＳＲＳを送信するために用いたビームの数、
前記非周期的ＳＲＳを送信するために用いたアンテナポート、
前記非周期的ＳＲＳを送信するために用いたアンテナポートの数、及び
前記非周期的ＳＲＳの伝送回数のうちの少なくとも１つを含むことを特徴とする
請求項１〜９のいずれか１項に記載の方法。
【請求項１１】
前記端末装置が、確定されたＳＲＳタイプに基づき、前記非周期的ＳＲＳを送信するためのリソース及び／又は伝送方式を確定することは、
前記端末装置は、前記ＳＲＳタイプに基づき、予め設定されたＳＲＳリソースセットから前記確定されたＳＲＳタイプに対応するＳＲＳリソースセットを確定することと、
前記端末装置は、前記確定されたＳＲＳタイプに対応するＳＲＳリソースセットから前記非周期的ＳＲＳを送信するためのＳＲＳリソースを確定することと、を含むことを特徴とする
請求項１〜１０のいずれか１項に記載の方法。
【請求項１２】
前記端末装置が前記確定されたＳＲＳタイプに対応するＳＲＳリソースセットから前記非周期的ＳＲＳを送信するためのＳＲＳリソースを確定することは、
前記確定されたＳＲＳタイプに対応するＳＲＳリソースセットにおける前記端末装置が前記トリガーシグナリングを受信した後の最も近い少なくとも１つのＳＲＳリソースを、前記非周期的ＳＲＳを送信するためのＳＲＳリソースとして確定することを含むことを特徴とする
請求項１１に記載の方法。
【請求項１３】
前記端末装置が前記確定されたＳＲＳタイプに対応するＳＲＳリソースセットから前記非周期的ＳＲＳを送信するためのＳＲＳリソースを確定することは、
前記端末装置は、前記トリガーシグナリングに含まれるＳＲＳリソース指示情報に基づき、前記確定されたＳＲＳタイプに対応するＳＲＳリソースセットから前記非周期的ＳＲＳを送信するためのＳＲＳリソースを確定することを含むことを特徴とする
請求項１１に記載の方法。
【請求項１４】
確定されたＳＲＳタイプに基づき、前記端末装置が、前記非周期的ＳＲＳを送信するためのリソース及び／又は伝送方式を確定する前に、前記端末装置は、ネットワーク機器が前記端末装置のサポートする複数のＳＲＳタイプのうちの各ＳＲＳタイプのために予め設定したＳＲＳリソースセットを受信することを更に含むことを特徴とする
請求項１１〜１３のいずれか１項に記載の方法。
【請求項１５】
前記トリガーシグナリングに基づき、前記非周期的ＳＲＳのＳＲＳタイプを確定することは、
前記トリガーシグナリングにおけるＳＲＳタイプ指示情報に基づき、前記ＳＲＳタイプを確定することを含むことを特徴とする
請求項１〜１４のいずれか１項に記載の方法。
【請求項１６】
前記トリガーシグナリングに基づき、前記非周期的ＳＲＳのＳＲＳタイプを確定することは、
前記トリガーシグナリングに示される前記非周期的ＳＲＳを送信するためのＳＲＳリソースの数に基づき、前記非周期的ＳＲＳのタイプを確定することを含むことを特徴とする
請求項１〜１５のいずれか１項に記載の方法。
【請求項１７】
前記トリガーシグナリングに基づき、前記非周期的ＳＲＳのＳＲＳタイプを確定することは、
前記トリガーシグナリングに示される前記非周期的ＳＲＳを送信するためのＳＲＳリソースに基づき、前記非周期的ＳＲＳのタイプを確定することを含むことを特徴とする
請求項１〜１５のいずれか１項に記載の方法。
【請求項１８】
前記トリガーシグナリングに基づき、前記非周期的ＳＲＳのＳＲＳタイプを確定することは、
前記トリガーシグナリングに示される前記非周期的ＳＲＳを送信するための伝送回数に基づき、前記非周期的ＳＲＳのタイプを確定することを含むことを特徴とする
請求項１〜１５のいずれか１項に記載の方法。
【請求項１９】
前記トリガーシグナリングは、ダウンリンク制御情報又はメディアアクセス制御ＭＡＣシグナリングにベアラされることを特徴とする
請求項１〜１８のいずれか１項に記載の方法。
【請求項２０】
無線通信方法であって、
ネットワーク機器は、前記端末装置の送信すべき非周期的ＳＲＳのＳＲＳタイプに基づき、トリガーシグナリングを生成することと、
前記ネットワーク機器は、前記端末装置へ前記トリガーシグナリングを送信することと、
前記ネットワーク機器は、前記非周期的ＳＲＳのＳＲＳタイプに基づき、前記端末装置が前記非周期的ＳＲＳを送信するリソース及び／又は伝送方式を確定することと、
前記ネットワーク機器は、確定されたリソース及び／又は確定された伝送方式に基づき、前記端末装置から送信された前記非周期的ＳＲＳを受信することと、を含むことを特徴とする、前記無線通信方法。
【請求項２１】
前記非周期的ＳＲＳのＳＲＳタイプは、前記端末装置のサポートする複数のＳＲＳタイプのうちの少なくとも１つを含むことを特徴とする
請求項２０に記載の方法。
【請求項２２】
前記複数のＳＲＳタイプの中において、前記端末装置が異なるＳＲＳタイプの非周期的ＳＲＳを送信するリソース及び／又は伝送方式は異なることを特徴とする
請求項２１に記載の方法。
【請求項２３】
前記確定された伝送方式は、
前記端末装置が前記非周期的ＳＲＳを送信するために用いたビーム、
前記端末装置が前記非周期的ＳＲＳを送信するために用いたビームの数、
前記端末装置が前記非周期的ＳＲＳを送信するために用いたアンテナポート、
前記端末装置が前記非周期的ＳＲＳを送信するために用いたアンテナポートの数、及び
前記端末装置が前記非周期的ＳＲＳを送信する伝送回数のうちの少なくとも１つを含むことを特徴とする
請求項２０〜２２のいずれか１項に記載の方法。
【請求項２４】
端末装置であって、
処理ユニット及び送受信ユニットを備え、
前記送受信ユニットは、ネットワーク機器から送信された非周期的サウンディング基準信号（ＳＲＳ）をトリガーするためのトリガーシグナリングを受信することに用いられ、
前記処理ユニットは、前記トリガーシグナリングに基づき、前記非周期的ＳＲＳのＳＲＳタイプを確定し、確定されたＳＲＳタイプに基づき、前記非周期的ＳＲＳを送信するためのリソース及び／又は伝送方式を確定することに用いられ、
前記送受信ユニットは、更に、確定されたリソース及び／又は確定された伝送方式に基づき、前記ネットワーク機器へ前記非周期的ＳＲＳを送信することに用いられることを特徴とする、前記端末装置。
【請求項２５】
前記確定されたＳＲＳタイプは、前記端末装置のサポートする複数のＳＲＳタイプのうちの少なくとも１つを含むことを特徴とする
請求項２４に記載の端末装置。
【請求項２６】
前記複数のＳＲＳタイプの中において、異なるＳＲＳタイプの非周期的ＳＲＳのリソース及び／又は伝送方式は異なることを特徴とする
請求項２５に記載の端末装置。
【請求項２７】
前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳは、マルチビームにより送信され、及び／又は
前記第２ＳＲＳタイプの非周期的ＳＲＳは、シングルビームにより送信されることを特徴とする
請求項２６に記載の端末装置。
【請求項２８】
前記第２ＳＲＳタイプの非周期的ＳＲＳを送信するためのシングルビームは、前記第２ＳＲＳタイプの非周期的ＳＲＳを送信する前の最後の一回目に受信したＳＲＳリソース指示情報（ＳＲＩ）に示されるＳＲＳリソースにおいて、ＳＲＳを伝送するために用いるビームであることを特徴とする
請求項２７に記載の端末装置。
【請求項２９】
前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳの１回あたりの伝送は、単一のアンテナポートを介して送信され、及び／又は、
前記第２ＳＲＳタイプの非周期的ＳＲＳの１回あたりの伝送は、複数のアンテナポートを介して送信されることを特徴とする
請求項２６〜２８のいずれか１項に記載の端末装置。
【請求項３０】
前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳの伝送回数が複数回であり、及び／又は
前記第２ＳＲＳタイプの非周期的ＳＲＳの伝送回数が１回であることを特徴とする
請求項２６〜２９のいずれか１項に記載の端末装置。
【請求項３１】
前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳを伝送するためのＳＲＳリソースの中の異なるアンテナポートは、異なるビームを用いてＳＲＳを伝送し、及び／又は、前記第２ＳＲＳタイプの非周期的ＳＲＳを伝送するためのＳＲＳリソースの中の異なるアンテナポートは、同じビームを用いてＳＲＳを伝送することを特徴とする
請求項２１〜３０のいずれか１項に記載の端末装置。
【請求項３２】
前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳは、アップリンク信号の送信ビーム及び／又はアップリンク信号の受信ビームを確定することに用いられ、及び／又は
前記第２ＳＲＳタイプの非周期的ＳＲＳはアップリンク信号のスケジューリング情報を取得することに用いられることを特徴とする
請求項２５〜３１のいずれか１項に記載の端末装置。
【請求項３３】
前記確定された伝送方式は、
前記非周期的ＳＲＳを送信するために用いたビーム、
前記非周期的ＳＲＳを送信するために用いたビームの数、
前記非周期的ＳＲＳを送信するために用いたアンテナポート、
前記非周期的ＳＲＳを送信するために用いたアンテナポートの数、及び
前記非周期的ＳＲＳの伝送回数のうちの少なくとも１つを含むことを特徴とする
請求項２４〜３２のいずれか１項に記載の端末装置。
【請求項３４】
前記処理ユニットは、更に、
前記ＳＲＳタイプに基づき、予め設定されたＳＲＳリソースセットから前記確定されたＳＲＳタイプに対応するＳＲＳリソースセットを確定し、
前記確定されたＳＲＳタイプに対応するＳＲＳリソースセットから前記非周期的ＳＲＳを送信するためのＳＲＳリソースを確定することに用いられることを特徴とする
請求項２４〜３３のいずれか１項に記載の端末装置。
【請求項３５】
前記処理ユニットは、更に、
前記確定されたＳＲＳタイプに対応するＳＲＳリソースセットにおける前記トリガーシグナリングを受信した後の最も近い少なくとも１つのＳＲＳリソースを、前記非周期的ＳＲＳを送信するためのＳＲＳリソースとして確定することに用いられることを特徴とする
請求項３４に記載の端末装置。
【請求項３６】
前記処理ユニットは、更に、
前記トリガーシグナリングに含まれるＳＲＳリソース指示情報に基づき、前記確定されたＳＲＳタイプに対応するＳＲＳリソースセットから前記非周期的ＳＲＳを送信するためのＳＲＳリソースを確定することに用いられることを特徴とする
請求項３４に記載の端末装置。
【請求項３７】
前記送受信ユニットは、更に、
ネットワーク機器が前記端末装置のサポートする複数のＳＲＳタイプのうちの各ＳＲＳタイプのために予め設定したＳＲＳリソースセットを受信することに用いられることを特徴とする
請求項３４〜３６のいずれか１項に記載の端末装置。
【請求項３８】
前記処理ユニットは、更に、
前記トリガーシグナリングにおけるＳＲＳタイプ指示情報に基づき、前記ＳＲＳタイプを確定することに用いられることを特徴とする
請求項２４〜３７のいずれか１項に記載の端末装置。
【請求項３９】
前記処理ユニットは、更に、
前記トリガーシグナリングに示される前記非周期的ＳＲＳを送信するためのＳＲＳリソースの数に基づき、前記非周期的ＳＲＳのタイプを確定することに用いられることを特徴とする
請求項２４〜３８のいずれか１項に記載の端末装置。
【請求項４０】
前記処理ユニットは、更に、
前記トリガーシグナリングに示される前記非周期的ＳＲＳを送信するためのＳＲＳリソースに基づき、前記非周期的ＳＲＳのタイプを確定することに用いられることを特徴とする
請求項２４〜３８のいずれか１項に記載の端末装置。
【請求項４１】
前記処理ユニットは、更に、
前記トリガーシグナリングに示される前記非周期的ＳＲＳを送信するための伝送回数に基づき、前記非周期的ＳＲＳのタイプを確定することに用いられることを特徴とする
請求項２４〜３８のいずれか１項に記載の端末装置。
【請求項４２】
前記トリガーシグナリングは、ダウンリンク制御情報又はメディアアクセス制御ＭＡＣシグナリングにベアラされることを特徴とする
請求項２４〜４１のいずれか１項に記載の端末装置。
【請求項４３】
ネットワーク機器であって、
処理ユニット及び送受信ユニットを備え、
前記処理ユニットは、前記端末装置の送信すべき非周期的ＳＲＳのＳＲＳタイプに基づき、トリガーシグナリングを生成することに用いられ、
前記送受信ユニットは、前記端末装置へ前記トリガーシグナリングを送信することに用いられ、
前記処理ユニットは、更に、前記非周期的ＳＲＳのＳＲＳタイプに基づき、前記端末装置が前記非周期的ＳＲＳを送信するリソース及び／又は伝送方式を確定することに用いられ、
前記送受信ユニットは、更に、確定されたリソース及び／又は確定された伝送方式に基づき、前記端末装置から送信された前記非周期的ＳＲＳを受信することに用いられることを特徴とする、前記ネットワーク機器。
【請求項４４】
前記非周期的ＳＲＳのＳＲＳタイプは、前記端末装置のサポートする複数のＳＲＳタイプのうちの少なくとも１つを含むことを特徴とする
請求項４３に記載のネットワーク機器。
【請求項４５】
前記複数のＳＲＳタイプの中において、前記端末装置が異なるＳＲＳタイプの非周期的ＳＲＳを送信するリソース及び／又は伝送方式は異なることを特徴とする
請求項４４に記載のネットワーク機器。
【請求項４６】
前記確定された伝送方式は、
前記端末装置が前記非周期的ＳＲＳを送信するために用いたビーム、
前記端末装置が前記非周期的ＳＲＳを送信するために用いたビームの数、
前記端末装置が前記非周期的ＳＲＳを送信するために用いたアンテナポート、
前記端末装置が前記非周期的ＳＲＳを送信するために用いたアンテナポートの数、及び
前記端末装置が前記非周期的ＳＲＳを送信する伝送回数のうちの少なくとも１つを含むことを特徴とする
請求項４３〜４５のいずれか１項に記載のネットワーク機器。
【発明の詳細な説明】
【技術分野】
【０００１】
本願は通信分野に関し、且つより具体的に、無線通信方法及び装置に関する。
【背景技術】
【０００２】
ロングタームエボリューション（ＬＴＥ：Ｌｏｎｇ  Ｔｅｒｍ  Ｅｖｏｌｕｔｉｏｎ）システムにおいて、非周期的サウンディング基準信号（ＳＲＳ：Ｓｏｕｎｄｉｎｇ  Ｒｅｆｅｒｅｎｃｅ  Ｓｉｇｎａｌ）伝送が導入され、基地局はアップリンク又はダウンリンクＤＣＩ（Ｄｏｗｎｌｉｎｋ  Ｃｏｎｔｒｏｌ  Ｉｎｆｏｒｍａｔｉｏｎ）によって端末のＳＲＳ伝送をトリガーすることができる。端末は、ＳＲＳのトリガーシグナリングを受信すると、ＳＲＳ伝送を行う。前記ＳＲＳは主に、アップリンクチャネル情報を取得することと、ネットワーク側がチャネル相反性に基づいてダウンリンクチャネル情報を取得することとに用いられる。
【０００３】
５Ｇシステムにマルチビーム伝送が導入される。端末は、異なるビームを用いて、ネットワーク機器がアップリンクビーム管理を行うための異なるＳＲＳ信号を伝送することができる。
【０００４】
５Ｇ通信システムにおいて、どのようにアップリンクビーム管理のためのＳＲＳ伝送及びアップリンクスケジューリング情報を取得するためのＳＲＳ伝送を、互換性を取りながら行うかは解決すべき問題である。
【発明の概要】
【発明が解決しようとする課題】
【０００５】
本願の実施例は複数のＳＲＳタイプの伝送を、互換性を取りながら実現することのできる無線通信方法及び装置を提供する。
【課題を解決するための手段】
【０００６】
第１態様に係る無線通信方法であって、
端末装置は、ネットワーク機器から送信された非周期的サウンディング基準信号（ＳＲＳ）をトリガーするためのトリガーシグナリングを受信することと、
前記端末装置は、前記トリガーシグナリングに基づき、前記非周期的ＳＲＳのＳＲＳタイプを確定することと、
前記端末装置は、確定されたＳＲＳタイプに基づき、前記非周期的ＳＲＳを送信するためのリソース及び／又は伝送方式を確定することと、
前記端末装置は、確定されたリソース及び／又は確定された伝送方式に基づき、前記ネットワーク機器へ前記非周期的ＳＲＳを送信することと、を含む。
【０００７】
第１態様を参照して、第１態様の可能な実現方式では、前記確定されたＳＲＳタイプは、前記端末装置のサポートする複数のＳＲＳタイプのうちの少なくとも１つを含む。
【０００８】
第１態様又はその上記いずれの可能な実現方式を参照して、第１態様の可能な実現方式では、前記複数のＳＲＳタイプの中において、異なるＳＲＳタイプの非周期的ＳＲＳのリソース及び／又は伝送方式は異なる。
【０００９】
第１態様又はその上記いずれの可能な実現方式を参照して、第１態様の可能な実現方式では、前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳは、マルチビームにより送信され、及び／又は
前記第２ＳＲＳタイプの非周期的ＳＲＳは、シングルビームにより送信される。
【００１０】
第１態様又はその上記いずれの可能な実現方式を参照して、第１態様の可能な実現方式では、前記第２ＳＲＳタイプの非周期的ＳＲＳを送信するためのシングルビームは、前記第２ＳＲＳタイプの非周期的ＳＲＳを送信する前の最後の一回目に受信したＳＲＳリソース指示情報（ＳＲＩ）に示されるＳＲＳリソースにおいて、ＳＲＳを伝送するために用いるビームである。
【００１１】
第１態様又はその上記いずれの可能な実現方式を参照して、第１態様の可能な実現方式では、前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳの１回あたりの伝送は、単一のアンテナポートを介して送信され、及び／又は、
前記第２ＳＲＳタイプの非周期的ＳＲＳの１回あたりの伝送は、複数のアンテナポートを介して送信される。
【００１２】
第１態様又はその上記いずれの可能な実現方式を参照して、第１態様の可能な実現方式では、前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳの伝送回数が複数回であり、及び／又は
前記第２ＳＲＳタイプの非周期的ＳＲＳの伝送回数が１回である。
【００１３】
第１態様又はその上記いずれの可能な実現方式を参照して、第１態様の可能な実現方式では、前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳは、アップリンク信号の送信ビーム及び／又はアップリンク信号の受信ビームを確定することに用いられ、及び／又は
前記第２ＳＲＳタイプの非周期的ＳＲＳはアップリンク信号のスケジューリング情報を取得することに用いられる。
【００１４】
第１態様又はその上記いずれの可能な実現方式を参照して、第１態様の可能な実現方式では、前記確定された伝送方式は、
前記非周期的ＳＲＳを送信するために用いたビーム、
前記非周期的ＳＲＳを送信するために用いたビームの数、
前記非周期的ＳＲＳを送信するために用いたアンテナポート、
前記非周期的ＳＲＳを送信するために用いたアンテナポートの数、及び
前記非周期的ＳＲＳの伝送回数のうちの少なくとも１つを含む。
【００１５】
第１態様又はその上記いずれの可能な実現方式を参照して、第１態様の可能な実現方式では、前記端末装置は、確定されたＳＲＳタイプに基づき、前記非周期的ＳＲＳを送信するためのリソース及び／又は伝送方式を確定することは、
前記端末装置が前記ＳＲＳタイプに基づき、予め設定されたＳＲＳリソースセットから前記確定されたＳＲＳタイプに対応するＳＲＳリソースセットを確定することと、
前記端末装置が前記確定されたＳＲＳタイプに対応するＳＲＳリソースセットから前記非周期的ＳＲＳを送信するためのＳＲＳリソースを確定することと、を含む。
【００１６】
第１態様又はその上記いずれの可能な実現方式を参照して、第１態様の可能な実現方式では、前記端末装置が前記確定されたＳＲＳタイプに対応するＳＲＳリソースセットから前記非周期的ＳＲＳを送信するためのＳＲＳリソースを確定することは、
前記確定されたＳＲＳタイプに対応するＳＲＳリソースセットにおける前記端末装置が前記トリガーシグナリングを受信した後の最も近い少なくとも１つのＳＲＳリソースを、前記非周期的ＳＲＳを送信するためのＳＲＳリソースとして確定することを含む。
【００１７】
第１態様又はその上記いずれの可能な実現方式を参照して、第１態様の可能な実現方式では、前記端末装置が前記確定されたＳＲＳタイプに対応するＳＲＳリソースセットから前記非周期的ＳＲＳを送信するためのＳＲＳリソースを確定することは、
前記端末装置が前記トリガーシグナリングに含まれるＳＲＳリソース指示情報に基づき、前記確定されたＳＲＳタイプに対応するＳＲＳリソースセットから前記非周期的ＳＲＳを送信するためのＳＲＳリソースを確定することを含む。
【００１８】
第１態様又はその上記いずれの可能な実現方式を参照して、第１態様の可能な実現方式では、前記端末装置が、確定されたＳＲＳタイプに基づき、前記非周期的ＳＲＳを送信するためのリソース及び／又は伝送方式を確定する前に、前記端末装置はネットワーク機器が前記端末装置のサポートする複数のＳＲＳタイプのうちの各ＳＲＳタイプのために予め設定したＳＲＳリソースセットを受信することを更に含む。
【００１９】
第１態様又はその上記いずれの可能な実現方式を参照して、第１態様の可能な実現方式では、前記トリガーシグナリングに基づき、前記非周期的ＳＲＳのＳＲＳタイプを確定することは、
前記トリガーシグナリングにおけるＳＲＳタイプ指示情報に基づき、前記ＳＲＳタイプを確定することを含む。
【００２０】
第１態様又はその上記いずれの可能な実現方式を参照して、第１態様の可能な実現方式では、前記トリガーシグナリングに基づき、前記非周期的ＳＲＳのＳＲＳタイプを確定することは、
前記トリガーシグナリングに示される前記非周期的ＳＲＳを送信するためのＳＲＳリソースの数に基づき、前記非周期的ＳＲＳのタイプを確定することを含む。
【００２１】
第１態様又はその上記いずれの可能な実現方式を参照して、第１態様の可能な実現方式では、前記トリガーシグナリングに基づき、前記非周期的ＳＲＳのＳＲＳタイプを確定することは、
前記トリガーシグナリングに示される前記非周期的ＳＲＳを送信するためのＳＲＳリソースに基づき、前記非周期的ＳＲＳのタイプを確定することを含む。
【００２２】
第１態様又はその上記いずれの可能な実現方式を参照して、第１態様の可能な実現方式では、前記トリガーシグナリングに基づき、前記非周期的ＳＲＳのＳＲＳタイプを確定することは、
前記トリガーシグナリングに示される前記非周期的ＳＲＳを送信するための伝送回数に基づき、前記非周期的ＳＲＳのタイプを確定することを含む。
【００２３】
第１態様又はその上記いずれの可能な実現方式を参照して、第１態様の可能な実現方式では、前記トリガーシグナリングは、ダウンリンク制御情報又はメディアアクセス制御ＭＡＣシグナリングにベアラされる。
【００２４】
第２態様に係る無線通信方法であって、
ネットワーク機器が前記端末装置の送信すべき非周期的ＳＲＳのＳＲＳタイプに基づき、トリガーシグナリングを生成することと、
前記ネットワーク機器が前記端末装置へ前記トリガーシグナリングを送信することと、
前記非周期的ＳＲＳのＳＲＳタイプに基づき、前記ネットワーク機器は前記端末装置が前記非周期的ＳＲＳを送信するリソース及び／又は伝送方式を確定することと、
確定されたリソース及び／又は確定された伝送方式に基づき、前記ネットワーク機器が前記端末装置から送信された前記非周期的ＳＲＳを受信することと、を含む。
【００２５】
第２態様を参照して、第２態様の可能な実現方式では、前記非周期的ＳＲＳのＳＲＳタイプが前記端末装置のサポートする複数のＳＲＳタイプのうちの少なくとも１つを含む。
【００２６】
第２態様又はその上記いずれの可能な実現方式を参照して、第２態様の可能な実現方式では、前記複数のＳＲＳタイプの中において、前記端末装置が異なるＳＲＳタイプの非周期的ＳＲＳを送信するリソース及び／又は伝送方式は異なる。
【００２７】
第２態様又はその上記いずれの可能な実現方式を参照して、第２態様の可能な実現方式では、前記確定された伝送方式は、
前記端末装置が前記非周期的ＳＲＳを送信するために用いたビーム、
前記端末装置が前記非周期的ＳＲＳを送信するために用いたビームの数、
前記端末装置が前記非周期的ＳＲＳを送信するために用いたアンテナポート、
前記端末装置が前記非周期的ＳＲＳを送信するために用いたアンテナポートの数、及び
前記端末装置が前記非周期的ＳＲＳの伝送回数のうちの少なくとも１つを含む。
【００２８】
第３態様に係る端末装置であって、該端末装置は上記第１態様又はそのいずれの可能な実現方式における方法を実現するためのユニットを備えてもよい。
【００２９】
第４態様に係るネットワーク機器であって、該ネットワーク機器は上記第２態様又はそのいずれの可能な実現方式における方法を実現するためのユニットを備えてもよい。
【００３０】
第５態様に係る端末装置であって、該端末装置はメモリ及びプロセッサを備えてもよく、該メモリに命令が記憶され、該メモリはメモリに記憶される命令を呼び出して第１態様又はそのいずれの可能な実現方式における方法を実行することに用いられる。
【００３１】
第６態様に係るネットワーク機器であって、該ネットワーク機器はメモリ及びプロセッサを備えてもよく、該メモリに命令が記憶され、該メモリはメモリに記憶される命令を呼び出して第２態様又はそのいずれの可能な実現方式における方法を実行することに用いられる。
【００３２】
第７態様に係るコンピュータ可読媒体であって、前記コンピュータ可読媒体には端末装置が実行するためのプログラムコードが記憶され、前記プログラムコードは第１態様又はその様々な実現方式における方法を実行するための命令を含み、又は、第２態様又はその様々な実現方式における方法を実行するための命令を含む。
【００３３】
第８態様に係るシステムチップであって、該システムチップは入力インターフェース、出力インターフェース、プロセッサ及びメモリを備え、該プロセッサは該メモリにおけるコードを実行することに用いられ、該コードが実行されるとき、該プロセッサは上記第１態様及び様々な実現方式における方法を実現し、又は、上記第２態様及び様々な実現方式における方法を実行することができる。
【発明の効果】
【００３４】
従って、本願の実施例において、端末装置はネットワーク機器から送信された非周期的ＳＲＳをトリガーするためのトリガーシグナリングに基づき、前記非周期的ＳＲＳのＳＲＳタイプを確定することができ、端末装置とネットワーク機器との複数のタイプのＳＲＳの伝送を実現することができ、且つ確定されたＳＲＳタイプに基づき、前記端末装置は、前記非周期的ＳＲＳを送信するためのリソース及び／又は伝送方式を確定し、異なるＳＲＳタイプのサポートする異なる設定を実現することができ、それにより様々なシーンのＳＲＳ要件を満たすことができる。
【図面の簡単な説明】
【００３５】
【図１】図１は本願の実施例に係る無線通信システムの模式図である。
【図２】図２は本願の実施例に係る無線通信方法の模式的なフローチャートである。
【図３】図３は本願の実施例に係る無線通信方法の模式的なフローチャートである。
【図４】図４は本願の実施例に係る端末装置の模式的なブロック図である。
【図５】図５は本願の実施例に係るネットワーク機器の模式的なブロック図である。
【図６】図６は本願の実施例に係るシステムチップの模式的なブロック図である。
【図７】図７は本願の実施例に係る通信装置の模式的なブロック図である。
【発明を実施するための形態】
【００３６】
本願の実施例の技術案をより明確に説明するために、以下に実施例又は従来技術の記述において必要な図面を用いて簡単に説明を行うが、当然ながら、以下に記載する図面は単に本願の実施例の一例であって、当業者であれば、創造的な労力を要することなく、これらの図面に基づいて他の図面に想到しうる。
【００３７】
以下、本願の実施例の図面を参照しながら、本願の実施例の技術案を説明し、無論、説明される実施例は本願の実施例の一部であり、実施例のすべてではない。本願の実施例に基づき、当業者が進歩性のある労働を必要とせずに得られる他の実施例は、いずれも本願の保護範囲に属する。
【００３８】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよい。
【００３９】
図１には本願の実施例に適用される無線通信システム１００を示す。該無線通信システム１００はネットワーク機器１１０を備えてもよい。ネットワーク機器１００は端末装置と通信する機器であってもよい。ネットワーク機器１００は特定の地理的領域に通信カバレッジを提供することができ、且つ該カバレッジ領域内の端末装置（例えば、ＵＥ）と通信することができる。好ましくは、該ネットワーク機器１００はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は該ネットワーク機器は中継所、アクセスポイント、車載装置、ウェアラブル端末、将来の５Ｇネットワークにおけるネットワーク側機器又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク機器等であってもよい。
【００４０】
該無線通信システム１００は更にネットワーク機器１１０のカバレッジ範囲内の少なくとも１つの端末装置１２０を備える。端末装置１２０は可動又は固定であってもよい。好ましくは、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００４１】
好ましくは、端末装置１２０同士が装置対装置（Ｄ２Ｄ：Ｄｅｖｉｃｅ  ｔｏ  Ｄｅｖｉｃｅ）通信を行うことができる。
【００４２】
好ましくは、５Ｇシステム又はネットワークが更に新無線（ＮＲ：Ｎｅｗ  Ｒａｄｉｏ）システム又はネットワークと称されてもよい。
【００４３】
図１には１つのネットワーク機器及び２つの端末装置を例示的に示し、好ましくは、該無線通信システム１００は複数のネットワーク機器を備えてもよく、且つ各ネットワーク機器のカバレッジ範囲内に他の数の端末装置が含まれてもよく、本願の実施例はこれを制限しない。
【００４４】
好ましくは、該無線通信システム１００は更にネットワークコントローラ、モビリティ管理エンティティ等の他のネットワークエンティティを備えてもよく、本願の実施例はこれを制限しない。
【００４５】
本明細書における用語「システム」と「ネットワーク」が常に交互に使用されると理解すべきである。本明細書における用語「及び／又は」は、関連オブジェクトを説明する関連関係に過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００４６】
図２は本願の実施例に係る無線通信方法２００の模式的なフローチャートである。該方法２００は図１に示すシステムに適用されることが好ましいが、これに限らない。図２に示すように、該方法２００は以下の内容を含む。
【００４７】
２１０では、端末装置は、ネットワーク機器から送信された非周期的サウンディング基準信号（ＳＲＳ）をトリガーするためのトリガーシグナリングを受信する。
【００４８】
好ましくは、前記トリガーシグナリングがダウンリンク制御情報又はメディアアクセス制御（ＭＡＣ：Ｍｅｄｉａ  Ａｃｃｅｓｓ  Ｃｏｎｔｒｏｌ）シグナリングにベアラされる。
【００４９】
好ましくは、非周期的ＳＲＳはトリガーシグナリングによりトリガーされるＳＲＳを指し、１回伝送されてもよいし、複数回伝送されてもよい。
【００５０】
２２０では、前記端末装置は、前記トリガーシグナリングに基づき、前記非周期的ＳＲＳのＳＲＳタイプを確定する。
【００５１】
好ましくは、前記確定されたＳＲＳタイプは、前記端末装置のサポートする複数のＳＲＳタイプのうちの少なくとも１つを含む。
【００５２】
好ましくは、前記複数のＳＲＳタイプの中において、異なるＳＲＳタイプの非周期的ＳＲＳのリソース及び／又は伝送方式は異なる。
【００５３】
例えば、異なるＳＲＳタイプのＳＲＳリソースの数及び／又は設定が異なる。又は、異なるＳＲＳタイプに対応するアンテナポートが異なり、ビームが異なり、及び／又は伝送回数が異なる等が挙げられる。
【００５４】
好ましくは、前記確定されたＳＲＳタイプは、前記端末装置のサポートする第１ＳＲＳタイプ及び第２ＳＲＳタイプのうちの少なくとも１つを含む。
【００５５】
好ましくは、第１ＳＲＳタイプは、
前記第１ＳＲＳタイプの非周期的ＳＲＳがマルチビームにより送信される条件、
前記第１ＳＲＳタイプの非周期的ＳＲＳの１回あたりの伝送が単一のアンテナポートを介して送信される条件、
前記第１ＳＲＳタイプの非周期的ＳＲＳの伝送回数が複数回である条件、及び
前記第１ＳＲＳタイプの非周期的ＳＲＳがアップリンク信号の送信ビーム及び／又はアップリンク信号の受信ビームを確定することに用いられ、例えば、端末装置が異なるビームを用いてＳＲＳ信号を伝送することができ、ネットワーク機器が異なるビームを用いたＳＲＳ信号を検出することにより、受信品質の最も良いＳＲＳ信号を検索して端末装置に示す条件のうちの少なくとも１つを満たす。
【００５６】
好ましくは、端末が該最適なＳＲＳ信号に用いたビームを他のアップリンク信号の伝送に用い、例えばアップリンクデータ、制御情報の伝送又は第２ＳＲＳタイプの非周期的ＳＲＳの伝送に用いることができる。
【００５７】
好ましくは、前記第１ＳＲＳタイプの非周期的ＳＲＳを送信するための複数のビームは端末装置の確定した複数のビームであってもよく、ネットワーク側が端末装置のために予め設定した複数のビームであってもよく、端末がネットワーク側の予め設定した１つのビームセットから選んだ複数のビームであってもよい。
【００５８】
好ましくは、第１ＳＲＳタイプの非周期的ＳＲＳの伝送回数が複数回であるとき、異なる回の非周期的ＳＲＳの伝送が異なる時間領域リソースユニットを用いてもよく、ここで、時間領域リソースユニットがサブフレーム、スロット、ミニスロット又は直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルであってもよい。
【００５９】
例えば、ネットワーク機器が端末装置のために１つの周期的な非周期的ＳＲＳ伝送のためのＳＲＳリソースを予め設定した場合、前記Ｎ回伝送した非周期的ＳＲＳがトリガー後の前記ＳＲＳリソースにおける最も近いＮ個のリソースを占有してもよい。
【００６０】
好ましくは、第１ＳＲＳタイプの非周期的ＳＲＳの伝送回数が複数回であるとき、異なる回の非周期的ＳＲＳの伝送が異なるビームを用いて伝送し、又は同じビームを用いて伝送してもよく、具体的にネットワーク機器により設定されてもよい。
【００６１】
好ましくは、第２ＳＲＳタイプは、
前記第２ＳＲＳタイプの非周期的ＳＲＳは、シングルビームにより送信される条件、
前記第２ＳＲＳタイプの非周期的ＳＲＳの１回あたりの伝送が複数のアンテナポートを介して送信される条件、
前記第２ＳＲＳタイプの非周期的ＳＲＳの伝送回数が１回である条件、及び
前記第２ＳＲＳタイプの非周期的ＳＲＳが例えば少なくともランクインジケータ（ＲＩ：Ｒａｎｋ  Ｉｎｄｉｃａｔｏｒ）、プリコーディングマトリクス索引番号（ＰＭＩ：Ｐｒｅ−ｃｏｄｉｎｇ  Ｍａｔｒｉｘ  Ｉｎｄｅｘ）、チャネル品質指標（ＣＱＩ：Ｃｈａｎｎｅｌ  Ｑｕａｌｉｔｙ  Ｉｎｄｉｃａｔｏｒ）及び周波数選択スケジューリング情報のうちの少なくとも１つを含むアップリンク信号のスケジューリング情報を取得することに用いられる条件のうちの少なくとも１つを満たす。
【００６２】
好ましくは、前記第２ＳＲＳタイプの非周期的ＳＲＳを送信するためのシングルビームは、前記第２ＳＲＳタイプの非周期的ＳＲＳを送信する前の最後の一回目に受信したＳＲＳリソース指示情報（ＳＲＩ：ＳＲＳ  Ｒｅｓｏｕｒｃｅ  Ｉｎｄｉｃａｔｉｏｎ）に示されるＳＲＳリソースにおいて、ＳＲＳを伝送するために用いるビームである。
【００６３】
具体的に、端末装置が前記ＳＲＩを受信する前に、前記ＳＲＩに示されるＳＲＳリソースを含む１つのＳＲＳリソースセットにおいてＳＲＳ信号を伝送し、各ＳＲＳリソースが１つのビームを用いて伝送される。前記ＳＲＩが一般的にアップリンクデータ伝送をスケジューリングし又はアップリンク制御情報伝送をスケジューリングするＤＣＩで端末装置に示される。例えば、前記非周期的ＳＲＳをトリガーするＤＣＩで端末に示してもよい。
【００６４】
好ましくは、第１ＳＲＳタイプを行うためのＳＲＳリソースが第２ＳＲＳタイプを行うためのＳＲＳリソースと重ならない。
【００６５】
例えば、ネットワーク機器は５つのＳＲＳリソースを設定することができ、端末装置はその中の１つのＳＲＳリソースに基づいて第２ＳＲＳタイプのＳＲＳの伝送を行うことができ、この時、該第２ＳＲＳタイプに対応するＳＲＳリソースセットは１つのＳＲＳリソースを含む。端末装置は残りの４つのＳＲＳリソースに基づいて第１ＳＲＳタイプのＳＲＳの伝送を行うことができ、この時、該第１ＳＲＳタイプに対応するＳＲＳリソースセットは４つのＳＲＳリソースを含む。
【００６６】
好ましくは、ネットワーク機器はそれぞれ異なるＳＲＳタイプにアンテナポート数を予め設定し、又は、ネットワーク機器は第２ＳＲＳタイプにアンテナポート数を設定するが、第１ＳＲＳタイプが所定の一定のアンテナポート数を用いる。
【００６７】
例えば、第１ＳＲＳタイプのＳＲＳ伝送が一定のシングルポートによる伝送を用いてもよく、第２ＳＲＳタイプのＳＲＳ伝送がネットワーク機器の設定したアンテナポート数を用いてもよく、前記アンテナポート数が１つのポートであってもよいし、２、４、８つのポートであってもよい。
【００６８】
好ましくは、異なるＳＲＳタイプに用いられるアンテナポートは重ならないアンテナポートであってもよい。
【００６９】
例えば、第１ＳＲＳタイプのＳＲＳ伝送に対して、アンテナポート｛０｝を用い、第２ＳＲＳタイプのＳＲＳ伝送に対して、アンテナポート｛１｝又は｛１，２｝又は｛１，２，３，４｝を用いる。又は、第１ＳＲＳタイプのＳＲＳ伝送に対して、アンテナポート｛０｝又は｛０，１｝を用い、第２ＳＲＳタイプの伝送に対して、アンテナポート｛２｝又は｛２，３｝又は｛２，３，４，５｝を用いる。
【００７０】
好ましくは、第１ＳＲＳタイプに対して、前記非周期的ＳＲＳを伝送するためのＳＲＳリソースの中の異なるアンテナポートは、異なるビームを用いてＳＲＳを伝送し、及び／又は、第２ＳＲＳタイプに対して、前記非周期的ＳＲＳを伝送するためのＳＲＳリソースの中の異なるアンテナポートは、同じビームを用いてＳＲＳを伝送する。
【００７１】
例えば、２つのＳＲＳタイプに対して同じＳＲＳリソースを用いて非周期的ＳＲＳを伝送し、該ＳＲＳリソースが４つのアンテナポートを有する。非周期的ＳＲＳのタイプが第１ＳＲＳタイプである場合、４つのポートが４つの異なるビームを用いてＳＲＳを伝送し、非周期的ＳＲＳのタイプが第２ＳＲＳタイプである場合、４つのポートが同じビームを用いてＳＲＳを伝送する。
【００７２】
以上は端末装置のサポートする複数のＳＲＳタイプのうちの第１ＳＲＳタイプ及び第２ＳＲＳタイプを例として、非周期的ＳＲＳの伝送を説明した。以下にどのようにトリガーシグナリングに基づいて非周期的ＳＲＳのＳＲＳタイプを確定するかを説明する。
【００７３】
一実現方式では、前記トリガーシグナリングにおけるＳＲＳタイプ指示情報に基づき、前記ＳＲＳタイプを確定する。
【００７４】
例えば、トリガーシグナリングにおいて１ビットでＳＲＳタイプ１又はＳＲＳタイプ２を示す。又は、ビットマッピング方式を用い、２ビットでそれぞれ２つのＳＲＳタイプに対応し、現在のＳＲＳタイプがアクティベートされる場合、対応するビットを０として設定する。例えば、１１で２つのＳＲＳタイプの非周期的ＳＲＳ伝送を同時にアクティベートすることを示してもよい。
【００７５】
一実現方式では、前記トリガーシグナリングに示される前記非周期的ＳＲＳを送信するためのＳＲＳリソースの数に基づき、前記非周期的ＳＲＳのタイプを確定する。
【００７６】
例えば、トリガーシグナリングでＮ個のプリセットのＳＲＳリソースのうちの１つのＳＲＳリソースを示す場合、端末がＳＲＳタイプをＳＲＳタイプ１として確定し、Ｎ個のプリセットのＳＲＳリソースのうちの複数のＳＲＳリソースを示す場合、端末がＳＲＳタイプをＳＲＳタイプ２として確定する。他の対応関係も排除しない。
【００７７】
一実現方式では、前記トリガーシグナリングに示される前記非周期的ＳＲＳを送信するためのＳＲＳリソースに基づき、前記非周期的ＳＲＳのタイプを確定する。
【００７８】
例えば、ネットワーク機器は５つのＳＲＳリソースを設定することができ、ＳＲＳリソース１、２、３及び４はＳＲＳタイプ２の伝送に用いられ、ＳＲＳリソース５はＳＲＳタイプ１の伝送に用いられる。トリガーシグナリングに示される非周期的ＳＲＳの送信のためのＳＲＳリソースがＳＲＳリソース２である場合、ＳＲＳタイプ２の非周期的ＳＲＳを送信することができる。
【００７９】
一実現方式では、前記トリガーシグナリングに示される前記非周期的ＳＲＳを送信するための伝送回数に基づき、前記非周期的ＳＲＳのタイプを確定する。
【００８０】
例えば、トリガーシグナリングには伝送回数が複数回であることを示す場合、端末がＳＲＳタイプ１に確定し、トリガーシグナリングには伝送回数が１回であることを示す場合、端末がＳＲＳタイプ２に確定する。
【００８１】
２３０では、前記端末装置は、確定されたＳＲＳタイプに基づき、前記非周期的ＳＲＳを送信するためのリソース及び／又は伝送方式を確定する。
【００８２】
好ましくは、前記確定された伝送方式は、
前記非周期的ＳＲＳを送信するために用いたビーム、
前記非周期的ＳＲＳを送信するために用いたビームの数、
前記非周期的ＳＲＳを送信するために用いたアンテナポート、
前記非周期的ＳＲＳを送信するために用いたアンテナポートの数、及び
前記非周期的ＳＲＳの伝送回数のうちの少なくとも１つを含む。
【００８３】
好ましくは、前記端末装置が前記ＳＲＳタイプに基づき、予め設定されたＳＲＳリソースセットから前記確定されたＳＲＳタイプに対応するＳＲＳリソースセットを確定し、前記端末装置が前記確定されたＳＲＳタイプに対応するＳＲＳリソースセットから前記非周期的ＳＲＳを送信するためのＳＲＳリソースを確定する。
【００８４】
具体的に、前記確定されたＳＲＳタイプに対応するＳＲＳリソースセットにおける前記端末装置が前記トリガーシグナリングを受信した後の最も近い少なくとも１つのＳＲＳリソースを、前記非周期的ＳＲＳを送信するためのＳＲＳリソースとして確定する。
【００８５】
例えば、ネットワーク機器が第１ＳＲＳタイプのためにＮ個の周期的な非周期的ＳＲＳ伝送のためのＳＲＳリソース、すなわちＳＲＳリソース１、ＳＲＳリソース２・・・ＳＲＳリソースＮを予め設定する。各ＳＲＳリソースは周期、偏移、パワー等の設定を含む。トリガーシグナリングを受信すると、端末が現在のＳＲＳタイプを第１ＳＲＳタイプとして確定する場合、前記非周期的ＳＲＳに用いたＳＲＳリソースが前記Ｎ個のＳＲＳリソースのうちの各ＳＲＳリソースにおける最も近いリソースであり、端末が確定されたＮ個のリソースにおいて前記非周期的ＳＲＳを送信する。
【００８６】
例えば、ネットワーク側が第２ＳＲＳタイプのために１つの周期的な非周期的ＳＲＳ伝送のためのＳＲＳリソースを予め設定し、該ＳＲＳリソースは周期、偏移、ポート、パワー等の設定を含む。端末装置がトリガーシグナリングを受信すると、現在のＳＲＳタイプを第２ＳＲＳタイプとして確定する場合、前記非周期的ＳＲＳに用いたＳＲＳリソースが前記ＳＲＳリソースにおける最も近いリソースである。
【００８７】
好ましくは、前記端末装置のサポートする複数のＳＲＳタイプのうちの各ＳＲＳタイプに設定されたＳＲＳリソースセットはネットワーク機器が端末装置のために予め設定したものであってもよい。
【００８８】
好ましくは、前記端末装置が前記トリガーシグナリングに含まれるＳＲＳリソース指示情報に基づき、前記確定されたＳＲＳタイプに対応するＳＲＳリソースセットから前記非周期的ＳＲＳを送信するためのＳＲＳリソースを確定する。
【００８９】
２４０では、前記端末装置は、確定されたリソース及び／又は確定された伝送方式に基づき、前記ネットワーク機器へ前記非周期的ＳＲＳを送信する。
【００９０】
図３は本願の実施例に係る無線通信方法３００の模式的なフローチャートである。該方法３００が図１に示すシステムに適用されることが好ましいが、これに限らない。図３に示すように、該方法３００は以下の内容を含む。
【００９１】
３１０では、ネットワーク機器が前記端末装置の送信すべき非周期的ＳＲＳのＳＲＳタイプに基づき、トリガーシグナリングを生成する。
【００９２】
好ましくは、前記非周期的ＳＲＳのＳＲＳタイプが前記端末装置のサポートする複数のＳＲＳタイプのうちの少なくとも１つを含む。
【００９３】
好ましくは、前記複数のＳＲＳタイプの中において、前記端末装置が異なるＳＲＳタイプの非周期的ＳＲＳを送信するリソース及び／又は伝送方式は異なる。
【００９４】
好ましくは、前記非周期的ＳＲＳのＳＲＳタイプが前記端末装置のサポートする第１ＳＲＳタイプ及び第２ＳＲＳタイプのうちの少なくとも１つを含む。
【００９５】
好ましくは、第１ＳＲＳタイプは、
前記第１ＳＲＳタイプの非周期的ＳＲＳは、マルチビームにより送信される条件、
前記第１ＳＲＳタイプの非周期的ＳＲＳの１回あたりの伝送が単一のアンテナポートを介して送信される条件、
前記第１ＳＲＳタイプの非周期的ＳＲＳの伝送回数が複数回である条件、及び
前記第１ＳＲＳタイプの非周期的ＳＲＳがアップリンク信号の送信ビーム及び／又はアップリンク信号の受信ビームを確定することに用いられる条件のうちの少なくとも１つを満たす。
【００９６】
好ましくは、第２ＳＲＳタイプは、
前記第２ＳＲＳタイプの非周期的ＳＲＳは、シングルビームにより送信される条件、
前記第２ＳＲＳタイプの非周期的ＳＲＳの１回あたりの伝送が複数のアンテナポートを介して送信される条件、
前記第２ＳＲＳタイプの非周期的ＳＲＳの伝送回数が１回である条件、及び
前記第２ＳＲＳタイプの非周期的ＳＲＳがアップリンク信号のスケジューリング情報を取得することに用いられる条件のうちの少なくとも１つを満たす。
【００９７】
好ましくは、前記端末装置が前記第２ＳＲＳタイプの非周期的ＳＲＳを送信するシングルビームは前記第２ＳＲＳタイプの非周期的ＳＲＳを受信する前に最後に送信したＳＲＳリソース指示情報（ＳＲＩ）に示されるＳＲＳリソースにおいて、ＳＲＳを伝送するために用いるビームである。
【００９８】
好ましくは、前記第１ＳＲＳタイプの非周期的ＳＲＳに基づき、ネットワーク機器がアップリンク信号の送信ビーム及び／又はアップリンク信号の受信ビームを確定し、及び／又は、前記第２ＳＲＳタイプの非周期的ＳＲＳに基づき、ネットワーク機器がアップリンク信号のスケジューリング情報を取得する。
【００９９】
３２０では、前記ネットワーク機器が前記端末装置へ前記トリガーシグナリングを送信する。
【０１００】
好ましくは、前記トリガーシグナリングは、ダウンリンク制御情報又はメディアアクセス制御ＭＡＣシグナリングにベアラされる。
【０１０１】
好ましくは、前記トリガーシグナリングには前記非周期的ＳＲＳのＳＲＳタイプを示すためのＳＲＳタイプ指示情報を持っている。
【０１０２】
好ましくは、前記トリガーシグナリングには前記端末装置が前記非周期的ＳＲＳを送信するためのＳＲＳリソースの数を持っている。
【０１０３】
好ましくは、前記トリガーシグナリングには前記端末装置が前記非周期的ＳＲＳを送信するためのＳＲＳリソースを持っている。
【０１０４】
好ましくは、前記トリガーシグナリングに前記非周期的ＳＲＳの伝送回数を持っている。
【０１０５】
３３０では、前記非周期的ＳＲＳのＳＲＳタイプに基づき、前記ネットワーク機器は前記端末装置が前記非周期的ＳＲＳを送信するリソース及び／又は伝送方式を確定する。
【０１０６】
好ましくは、前記確定された伝送方式は、
前記端末装置が前記非周期的ＳＲＳを送信するために用いたビーム、
前記端末装置が前記非周期的ＳＲＳを送信するために用いたビームの数、
前記端末装置が前記非周期的ＳＲＳを送信するために用いたアンテナポート、
前記端末装置が前記非周期的ＳＲＳを送信するために用いたアンテナポートの数、及び
前記端末装置が前記非周期的ＳＲＳを送信する伝送回数のうちの少なくとも１つを含む。
【０１０７】
好ましくは、前記ネットワーク機器には前記端末装置のサポートする複数のＳＲＳタイプのうちの各ＳＲＳタイプに設定されたＳＲＳリソースセットが予め記憶され、前記端末装置は前記非周期的ＳＲＳのＳＲＳタイプに基づき、予め記憶されるＳＲＳリソースセットから前記非周期的ＳＲＳのＳＲＳタイプに対応するＳＲＳリソースセットを確定し、前記端末装置は前記非周期的ＳＲＳのＳＲＳタイプに対応するＳＲＳリソースセットから前記端末装置が前記非周期的ＳＲＳを送信するＳＲＳリソースを確定する。
【０１０８】
具体的に、前記非周期的ＳＲＳのＳＲＳタイプに対応するＳＲＳリソースセットにおける前記トリガーシグナリングを送信した後に最も近い少なくとも１つのＳＲＳリソースを、前記端末装置が前記非周期的ＳＲＳを送信するためのＳＲＳリソースとして確定する。
【０１０９】
３４０では、確定されたリソース及び／又は確定された伝送方式に基づき、前記ネットワーク機器が前記端末装置から送信された前記非周期的ＳＲＳを受信する。
【０１１０】
従って、本願の実施例において、端末装置はネットワーク機器から送信された非周期的ＳＲＳをトリガーするためのトリガーシグナリングに基づき、前記非周期的ＳＲＳのＳＲＳタイプを確定することができ、端末装置とネットワーク機器との複数のタイプのＳＲＳの伝送を実現することができ、且つ確定されたＳＲＳタイプに基づき、前記端末装置は、前記非周期的ＳＲＳを送信するためのリソース及び／又は伝送方式を確定し、異なるＳＲＳタイプのサポートする異なる設定を実現することができ、それにより様々なシーンのＳＲＳ要件を実現することができる。
【０１１１】
図４は本願の実施例に係る端末装置４００の模式的なブロック図である。図４に示すように、該端末装置４００は処理ユニット４１０及び送受信ユニット４２０を備え、
前記送受信ユニット４２０は、ネットワーク機器から送信された非周期的サウンディング基準信号（ＳＲＳ）をトリガーするためのトリガーシグナリングを受信することに用いられ、
前記処理ユニット４１０は、前記トリガーシグナリングに基づき、前記非周期的ＳＲＳのＳＲＳタイプを確定し、確定されたＳＲＳタイプに基づき、前記非周期的ＳＲＳを送信するためのリソース及び／又は伝送方式を確定することに用いられ、
前記送受信ユニット４２０は、更に、確定されたリソース及び／又は確定された伝送方式に基づき、前記ネットワーク機器へ前記非周期的ＳＲＳを送信することに用いられる。
【０１１２】
好ましくは、前記確定されたＳＲＳタイプは、前記端末装置のサポートする複数のＳＲＳタイプのうちの少なくとも１つを含む。
【０１１３】
好ましくは、前記複数のＳＲＳタイプの中において、異なるＳＲＳタイプの非周期的ＳＲＳのリソース及び／又は伝送方式は異なる。
【０１１４】
好ましくは、前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳは、マルチビームにより送信され、及び／又は
前記第２ＳＲＳタイプの非周期的ＳＲＳは、シングルビームにより送信される。
【０１１５】
好ましくは、前記第２ＳＲＳタイプの非周期的ＳＲＳを送信するためのシングルビームは、前記第２ＳＲＳタイプの非周期的ＳＲＳを送信する前の最後の一回目に受信したＳＲＳリソース指示情報（ＳＲＩ）に示されるＳＲＳリソースにおいて、ＳＲＳを伝送するために用いるビームである。
【０１１６】
好ましくは、前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳの１回あたりの伝送は、単一のアンテナポートを介して送信され、及び／又は、
前記第２ＳＲＳタイプの非周期的ＳＲＳの１回あたりの伝送は、複数のアンテナポートを介して送信される。
【０１１７】
好ましくは、前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳの伝送回数が複数回であり、及び／又は
前記第２ＳＲＳタイプの非周期的ＳＲＳの伝送回数が１回である。
【０１１８】
好ましくは、前記確定されたＳＲＳタイプは、前記端末装置のサポートする第１ＳＲＳタイプ及び第２ＳＲＳタイプのうちの少なくとも１つを含み、
前記第１ＳＲＳタイプの非周期的ＳＲＳは、アップリンク信号の送信ビーム及び／又はアップリンク信号の受信ビームを確定することに用いられ、及び／又は
前記第２ＳＲＳタイプの非周期的ＳＲＳはアップリンク信号のスケジューリング情報を取得することに用いられる。
【０１１９】
好ましくは、前記確定された伝送方式は、
前記非周期的ＳＲＳを送信するために用いたビーム、
前記非周期的ＳＲＳを送信するために用いたビームの数、
前記非周期的ＳＲＳを送信するために用いたアンテナポート、
前記非周期的ＳＲＳを送信するために用いたアンテナポートの数、及び
前記非周期的ＳＲＳの伝送回数のうちの少なくとも１つを含む。
【０１２０】
好ましくは、前記処理ユニット４１０は、更に、
前記ＳＲＳタイプに基づき、予め設定されたＳＲＳリソースセットから前記確定されたＳＲＳタイプに対応するＳＲＳリソースセットを確定し、
前記確定されたＳＲＳタイプに対応するＳＲＳリソースセットから前記非周期的ＳＲＳを送信するためのＳＲＳリソースを確定することに用いられる。
【０１２１】
好ましくは、前記処理ユニット４１０は、更に、
前記確定されたＳＲＳタイプに対応するＳＲＳリソースセットにおける前記トリガーシグナリングを受信した後の最も近い少なくとも１つのＳＲＳリソースを、前記非周期的ＳＲＳを送信するためのＳＲＳリソースとして確定することに用いられる。
【０１２２】
好ましくは、前記処理ユニット４１０は、更に、
前記トリガーシグナリングに含まれるＳＲＳリソース指示情報に基づき、前記確定されたＳＲＳタイプに対応するＳＲＳリソースセットから前記非周期的ＳＲＳを送信するためのＳＲＳリソースを確定することに用いられる。
【０１２３】
好ましくは、前記送受信ユニット４２０は、更に、
ネットワーク機器が前記端末装置のサポートする複数のＳＲＳタイプのうちの各ＳＲＳタイプのために予め設定したＳＲＳリソースセットを受信することに用いられる。
【０１２４】
好ましくは、前記処理ユニット４１０は、更に、
前記トリガーシグナリングにおけるＳＲＳタイプ指示情報に基づき、前記ＳＲＳタイプを確定することに用いられる。
【０１２５】
好ましくは、前記処理ユニット４１０は、更に、
前記トリガーシグナリングに示される前記非周期的ＳＲＳを送信するためのＳＲＳリソースの数に基づき、前記非周期的ＳＲＳのタイプを確定することに用いられる。
【０１２６】
好ましくは、前記処理ユニット４１０は、更に、
前記トリガーシグナリングに示される前記非周期的ＳＲＳを送信するためのＳＲＳリソースに基づき、前記非周期的ＳＲＳのタイプを確定することに用いられる。
【０１２７】
好ましくは、前記処理ユニット４１０は、更に、
前記トリガーシグナリングに示される前記非周期的ＳＲＳを送信するための伝送回数に基づき、前記非周期的ＳＲＳのタイプを確定することに用いられる。
【０１２８】
好ましくは、前記トリガーシグナリングは、ダウンリンク制御情報又はメディアアクセス制御ＭＡＣシグナリングにベアラされる。
【０１２９】
該端末装置４００は方法２００における端末装置に対応してもよく、該方法２００における端末装置２００の対応機能を実現することができ、簡潔のため、ここで詳細な説明は省略すると理解すべきである。
【０１３０】
図５は本願の実施例に係るネットワーク機器５００の模式的なブロック図である。図５に示すように、該ネットワーク機器５００は処理ユニット５１０及び送受信ユニット５２０を備え、
前記処理ユニット５１０は、前記端末装置の送信すべき非周期的ＳＲＳのＳＲＳタイプに基づき、トリガーシグナリングを生成することに用いられ、
前記送受信ユニット５２０は、前記端末装置へ前記トリガーシグナリングを送信することに用いられ、
前記処理ユニット５１０は、更に、前記非周期的ＳＲＳのＳＲＳタイプに基づき、前記端末装置が前記非周期的ＳＲＳを送信するリソース及び／又は伝送方式を確定することに用いられ、
前記送受信ユニット５２０は、更に、確定されたリソース及び／又は確定された伝送方式に基づき、前記端末装置から送信された前記非周期的ＳＲＳを受信することに用いられる。
【０１３１】
好ましくは、前記非周期的ＳＲＳのＳＲＳタイプが前記端末装置のサポートする複数のＳＲＳタイプのうちの少なくとも１つを含む。
【０１３２】
好ましくは、前記複数のＳＲＳタイプの中において、前記端末装置が異なるＳＲＳタイプの非周期的ＳＲＳを送信するリソース及び／又は伝送方式は異なる。
【０１３３】
好ましくは、前記確定された伝送方式は、
前記端末装置が前記非周期的ＳＲＳを送信するために用いたビーム、
前記端末装置が前記非周期的ＳＲＳを送信するために用いたビームの数、
前記端末装置が前記非周期的ＳＲＳを送信するために用いたアンテナポート、
前記端末装置が前記非周期的ＳＲＳを送信するために用いたアンテナポートの数、及び
前記端末装置が前記非周期的ＳＲＳの伝送回数のうちの少なくとも１つを含む。
【０１３４】
該ネットワーク機器５００は方法５００におけるネットワーク機器に対応してもよく、該方法３００における端末装置３００の対応機能を実現することができ、簡潔のため、ここで詳細な説明は省略すると理解すべきである。
【０１３５】
図６は本願の実施例のシステムチップ６００の模式的なブロック図である。図６におけるシステムチップ６００は入力インターフェース６０１、出力インターフェース６０２、プロセッサ６０３及びメモリ６０４を備え、前記プロセッサ６０３及びメモリ６０４が内部通信接続回路によって接続されてもよく、前記プロセッサ６０３は前記メモリ７０４におけるコードを実行することに用いられる。
【０１３６】
好ましくは、前記コードが実行されるとき、前記プロセッサ６０３は図２に示す方法２００における端末装置の実行する方法を実現する。簡潔のため、ここで詳細な説明は省略する。
【０１３７】
好ましくは、前記コードが実行されるとき、前記プロセッサ６０３は図３に示す方法３００におけるネットワーク機器の実行する方法を実現する。簡潔のため、ここで詳細な説明は省略する。
【０１３８】
図７は本願の実施例に係る通信装置７００の模式的なブロック図である。図７に示すように、該通信装置７００はプロセッサ７１０及びメモリ７２０を備える。該メモリ７２０にプログラムコードが記憶されてもよく、該プロセッサ７１０は該メモリ７２０に記憶されるプログラムコードを実行することができる。
【０１３９】
好ましくは、図７に示すように、該通信装置７００は送受信機７３０を備えてもよく、プロセッサ７１０は送受信機７３０が外部と通信するように制御することができる。
【０１４０】
好ましくは、該プロセッサ７１０はメモリ７２０に記憶されるプログラムコードを呼び出して図２に示す方法２００における端末装置の対応操作を実行することができ、簡潔のため、ここで詳細な説明は省略する。
【０１４１】
好ましくは、該プロセッサ７１０はメモリ７２０に記憶されるプログラムコードを呼び出して図３に示す方法３００におけるネットワーク機器の対応操作を実行することができ、簡潔のため、ここで詳細な説明は省略する。
【０１４２】
当業者であれば、本明細書に開示される実施例を参照して説明した各例示的なユニット及びアルゴリズムステップは、電子ハードウェア、又はコンピュータソフトウェアと電子ハードウェアとの組み合わせで実現されてもよいと理解される。これらの機能をハードウェア又はソフトウェア方式で実行するかは、技術案の特定応用及び設計制約条件によって確定される。当業者は各特定応用に対して異なる方法で説明される機能を実現することができるが、このような実現は本願の範囲を超えると見なされるべきではない。
【０１４３】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１４４】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１４５】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１４６】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【０１４７】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク機器等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１４８】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020511858.tif 000003
【図２】
2020511858.tif 000004
【図３】
2020511858.tif 000005
【図４】
2020511858.tif 000006
【図５】
2020511858.tif 000007
【図６】
2020511858.tif 000008
【図７】
2020511858.tif 000009
【国際調査報告】
2020511858.tif 000010
2020511858.tif 000011
2020511858.tif 000012
2020511858.tif 000013